(57)【特許請求の範囲】
【請求項１】
センタ局から各ユーザ宅までを光線路（２０）で接続した光通信システムに用いられ、前記ユーザ宅で、前記センタ局から送信される光通信信号を受光し、この受光した光通信信号の光強度を判定する光通信信号強度試験、レーザ光源（１１ａ）から前記光線路への光パルスの入射に伴う前記光線路からの戻り光から前記光線路の光損失分布特性を判定するＯＴＤＲ試験、可視光源（１２ａ）から前記光線路に可視光を出射して前記光線路の障害位置を特定する可視光試験を順に行い、前記各試験に関する内容を表示する表示部（１８）を備えた光線路異常診断装置（１）において、
前記光通信信号強度試験の終了後、前記光通信信号強度が正常の範囲内であると判定された場合は、前記センタ局からの光通信信号の光強度を示す光通信信号強度データと、その他の試験を行う必要がないことを示す情報とを含む光強度正常表示情報を前記表示部に表示し、前記光通信信号強度に異常があると判定された場合は、前記光通信信号強度データとともに、次試験が前記ＯＴＤＲ試験であることを示す情報を含む光強度異常表示情報を前記表示部に表示する機能と、
前記ＯＴＤＲ試験の終了後、前記光損失分布特性が正常であると判定された場合は、前記光線路の光損失特性を示す光線路特性データと、前記光線路以外に障害があることを示す情報とを含む光損失特性正常表示情報を前記表示部に表示し、前記光線路に異常があると判定された場合は、前記光線路特性データと、次試験が前記可視光試験であることを示す情報とを含む光損失特性異常表示情報を前記表示部に表示する機能と、
を有する制御部（１７）を備えたことを特徴とする光線路異常診断装置。
【請求項２】
前記制御部（１７）は、
前記光通信信号強度データと、予め設定された光強度データ用閾値とを比較し、前記光通信信号強度データが前記光強度データ用閾値を超えている場合は、前記光通信信号強度が正常の範囲内でその他の試験を行う必要がないことを示す判定結果を含む光強度正常情報を出力し、  前記光通信信号強度データが前記光強度データ用閾値を超えていない場合は、前記光通信信号強度に異常があり次試験が前記ＯＴＤＲ試験であることを示す判定結果を含む光強度異常情報を出力する光強度判定手段（１７ｂａ）と、
該光強度判定手段からの前記光強度正常情報又は光強度異常情報に基づいて、前記表示部（１８）の表示内容を切替制御する表示切替制御手段（１７ｅ）と、
を備えていることを特徴とする請求項１記載の光線路異常診断装置。
【請求項３】
前記制御部（１７）は、
前記光線路特性データと、予め設定された光線路特性規格とを比較し、前記光線路特性データに前記光線路特性規格を満たさないイベントが無かった場合は、前記光線路の前記光損失分布特性は正常であるが前記光線路以外に障害があることを示す判定結果を含む光損失特性正常情報を出力し、前記光線路特性データに前記光線路特性規格を満たさないイベントがあった場合は、前記光線路に障害があり次試験が前記可視光試験であることを示す判定結果を含む光損失特性異常情報を出力する光損失特性判定手段（１７ｃａ）と、
該光損失特性判定手段からの前記光損失特性正常情報又は光損失特性異常情報に基づいて、前記表示部（１８）の表示内容を切替制御する表示切替制御手段（１７ｅ）と、
備えていることを特徴とする請求項１又は２記載の光線路異常診断装置。
【請求項４】
センタ局から各ユーザ宅までを光線路（２０）で接続した光通信システムに用いられ、前記ユーザ宅で、前記センタ局から送信される光通信信号を受光し、この受光した光通信信号の光強度を判定する光通信信号強度試験、レーザ光源（１１ａ）から前記光線路への光パルスの入射に伴う前記光線路からの戻り光から前記光線路の光損失分布特性を判定するＯＴＤＲ試験、可視光源（１２ａ）から前記光線路に可視光を出射して前記光線路の障害位置を特定する可視光試験を順に行い、前記各試験に関する内容を表示する表示部（１８）を備えた光線路異常診断装置（１）の操作画面表示方法において、
前記光通信信号強度試験の終了後、前記光通信信号強度が正常の範囲内であると判定された場合は、前記センタ局からの光通信信号の光強度を示す光通信信号強度データと、その他の試験を行う必要がないことを示す情報とを含む光強度正常表示情報を前記表示部に表示し、前記光通信信号強度に異常があると判定された場合は、前記光通信信号強度データとともに、次試験が前記ＯＴＤＲ試験であることを示す情報を含む光強度異常表示情報を前記表示部に表示するステップと、
前記ＯＴＤＲ試験の終了後、前記光損失分布特性が正常であると判定された場合は、前記光線路の光損失特性を示す光線路特性データと、前記光線路以外に障害があることを示す情報とを含む光損失特性正常表示情報を前記表示部に表示し、前記光線路に異常があると判定された場合は、前記光線路特性データと、次試験が前記可視光試験であることを示す情報とを含む光損失特性異常表示情報を前記表示部に表示するステップと、
を含むことを特徴とする操作画面表示方法。
【請求項５】
前記光通信信号強度データと、予め設定された光強度データ用閾値とを比較し、前記光通信信号強度データが前記光強度データ用閾値を超えている場合は、前記光通信信号強度が正常の範囲内でその他の試験を行う必要がないことを示す判定結果を含む光強度正常情報を出力し、  前記光通信信号強度データが前記光強度データ用閾値を超えていない場合は、前記光通信信号強度に異常があり次試験が前記ＯＴＤＲ試験であることを示す判定結果を含む光強度異常情報を出力するステップと、
前記出力された光強度正常情報又は光強度異常情報に基づいて、前記表示部（１８）の表示内容を切替制御するステップと、
を含むことを特徴とする請求項４記載の操作画面表示方法。
【請求項６】
前記光線路特性データと、予め設定された光線路特性規格とを比較し、前記光線路特性データに前記光線路特性規格を満たさないイベントが無かった場合は、前記光線路の前記光損失分布特性は正常であるが前記光線路以外に障害があることを示す判定結果を含む光損失特性正常情報を出力し、前記光線路特性データに前記光線路特性規格を満たさないイベントがあった場合は、前記光線路に障害があり次試験が前記可視光試験であることを示す判定結果を含む光損失特性異常情報を出力するステップと、
前記出力された前記光損失特性正常情報又は光損失特性異常情報に基づいて、前記表示部（１８）の表示内容を切替制御するステップと、
を含むことを特徴とする請求項４又は５記載の操作画面表示方法。
【発明の詳細な説明】
【技術分野】
【０００１】
本発明は、センタ局と各ユーザ宅とを光分波器を介して接続する光通信ネットワークにおける光線路の異常を診断する光線路異常診断装置に係り、異常診断時に行う各試験結果に基づいて適切な画面を自動表示することのできる光線路異常診断装置及び該装置の操作画面表示方法に関する。
【背景技術】
【０００２】
近年、光ファイバからなる光線路網の途中に光分波器などの分岐装置を入れて分岐し、センタ局からの１本の光線路を複数ユーザで共有するアクセス形態であるＰＯＮ（Passive Optical Network ）の普及拡大により、光線路の敷設数、契約数が飛躍的に増加し、それに伴って、光通信の知識が乏しい者や敷設保守の経験の浅い者が、光線路の敷設保守作業を行うケースが増えている。
【０００３】
そして、ＰＯＮにおいて敷設された光線路の損傷位置を検出する装置として、通常の光線路の検査と同様に光パルス試験器（ＯＴＤＲ：Optical Time Domain Reflectometry ）が用いられ、光線路の損傷位置を検出する際に、センタ局にＯＴＤＲを配置し、センタ局側から試験信号である光パルスを入力して、その光パルスの戻り光から光線路の損傷位置を検出している。
【０００４】
しかしながら、ＰＯＮはセンタ局と光分波器とを幹線でつなぎ、光分波器から分かれた複数の支線ごとに各ユーザ宅に設置された光端末機（ＯＮＵ：Optical Network Unit）とを接続した構成であるため、このような検出方法では光分波器とユーザ宅を結ぶ支線で損傷が発生した場合に、何れの支線で障害が発生したのか区別することが困難であった。
【０００５】
そこで、このような光分波器とユーザ宅を結ぶ支線の光線路を検査する方法として、下記特許文献１に開示されるように、ユーザ宅側に接続されたＯＮＵを外して、代わりにＯＴＤＲ等の試験装置を接続して検査を行う方法が採用されている。
【０００６】
このユーザ宅側から支線ファイバの検査を行う方法として、「光通信信号強度試験」、「ＯＴＤＲ試験」、「可視光試験」の３つの試験が順に行われるのが一般的である。
最初に行われる「光通信信号強度試験」は、センタ局から送信された光通信信号が規定値以上のレベルでユーザ宅まで届いていることをパワーメータで確認する試験である。規定値以上のレベルが検出されない場合は、支線ファイバに損傷箇所があると判断して、次に、パワーメータに替えて光パルス試験器（以下ＯＴＤＲと記す）を接続し光線路線路の光損失特性を測定する「ＯＴＤＲ試験」を行い、光線路の損失特性からおよその損傷位置を推定する。次に、可視光光源につなぎ替え、可視光を光線路に入射して損失位置を特定する「可視光試験」を行う。そして、ＯＴＤＲで推定した損傷位置付近に待機した作業者が光線路の漏れ光を確認して損傷位置を特定して各種メンテナンスを行っている。
【０００７】
しかし、この検査方法では、作業者がユーザ宅でＯＮＵを取り外して検査を行う必要があるので、試験を行う毎にユーザ宅間の移動が必要で作業者の負担が大きいという問題があった。そのため、検査を行うための機器には、簡易に、且つ迅速に作業が行える操作性が要求されていた。
【０００８】
そこで、本願出願人は、下記特許文献２に開示されるように、光通信信号強度試験を行うパワーメータの機能、ＯＴＤＲ試験を行うＯＴＤＲの機能、可視光試験を行う可視光装置の機能と光スイッチとを一つの筐体に収め、試験毎に光スイッチで所望の測定器に切り替える装置を提供することで、光線路を接続する試験装置の光コネクタを一つにして、試験を替えるたびに必要であった光線路を試験装置から脱着する作業を省略して作業者の負担を軽減している。
【特許文献１】特許第３９５５８７５号
【特許文献２】特許第３９６７３４６号
【発明の開示】
【発明が解決しようとする課題】
【０００９】
しかしながら、特許文献２に開示された従来技術においてもまだ解決すべき課題があった。従来の装置では、その操作画面上である試験から他の試験へ、例えば「光通信信号強度試験」から「ＯＴＤＲ試験」へ切り替えるためには、「光通信信号強度試験」が終了した後、各測定作業を一覧表示したＴＯＰメニューを表示して、そこに表示された測定一覧から「ＯＴＤＲ試験」を選択する必要があり画面操作が煩雑であった。
【００１０】
また、試験の結果に基づいて次にどの試験をすべきか、或いは、現在点検している支線ファイバの試験を終了して次の支線ファイバに移行すべきであるか誘導指示がなかったため、作業者が試験の度ごとに判断しなければならず、円滑に作業を進めることができなかった。
【００１１】
そこで、本発明は上記問題点に鑑みてなされたものであって、画面操作の煩雑さを解消し、各試験結果に基づいて適切な画面を自動表示することのできる光線路異常診断装置及び該装置の操作画面表示方法を提供することを目的としている。
【課題を解決するための手段】
【００１２】
上記目的を達成するため、本発明の請求項１に記載された光線路異常診断装置は、センタ局から各ユーザ宅までを光線路２０で接続した光通信システムに用いられ、前記ユーザ宅で、前記センタ局から送信される光通信信号を受光し、この受光した光通信信号の光強度を判定する光通信信号強度試験、レーザ光源１１ａから前記光線路への光パルスの入射に伴う前記光線路からの戻り光から前記光線路の光損失分布特性を判定するＯＴＤＲ試験、可視光源１２ａから前記光線路に可視光を出射して前記光線路の障害位置を特定する可視光試験を順に行い、前記各試験に関する内容を表示する表示部１８を備えた光線路異常診断装置１において、
前記光通信信号強度試験の終了後、前記光通信信号強度が正常の範囲内であると判定された場合は、前記センタ局からの光通信信号の光強度を示す光通信信号強度データと、その他の試験を行う必要がないことを示す情報とを含む光強度正常表示情報を前記表示部に表示し、前記光通信信号強度に異常があると判定された場合は、前記光通信信号強度データとともに、次試験が前記ＯＴＤＲ試験であることを示す情報を含む光強度異常表示情報を前記表示部に表示する機能と、
前記ＯＴＤＲ試験の終了後、前記光損失分布特性が正常であると判定された場合は、前記光線路の光損失特性を示す光線路特性データと、前記光線路以外に障害があることを示す情報とを含む光損失特性正常表示情報を前記表示部に表示し、前記光線路に異常があると判定された場合は、前記光線路特性データと、次試験が前記可視光試験であることを示す情報とを含む光損失特性異常表示情報を前記表示部に表示する機能と、
を有する制御部１７を備えたことを特徴としている。
【００１３】
また、請求項２に記載された光線路異常診断装置は、請求項１記載の光線路異常診断装置において、前記制御部１７は、
前記光通信信号強度データと、予め設定された光強度データ用閾値とを比較し、前記光通信信号強度データが前記光強度データ用閾値を超えている場合は、前記光通信信号強度が正常の範囲内でその他の試験を行う必要がないことを示す判定結果を含む光強度正常情報を出力し、  前記光通信信号強度データが前記光強度データ用閾値を超えていない場合は、前記光通信信号強度に異常があり次試験が前記ＯＴＤＲ試験であることを示す判定結果を含む光強度異常情報を出力する光強度判定手段１７ｂａと、
該光強度判定手段からの前記光強度正常情報又は光強度異常情報に基づいて、前記表示部１８の表示内容を切替制御する表示切替制御手段１７ｅと、
を備えていることを特徴としている。
【００１４】
また、請求項３に記載された光線路異常診断装置は、請求項１又は２記載の光線路異常診断装置において、前記制御部１７は、
前記光線路特性データと、予め設定された光線路特性規格とを比較し、前記光線路特性データに前記光線路特性規格を満たさないイベントが無かった場合は、前記光線路の前記光損失分布特性は正常であるが前記光線路以外に障害があることを示す判定結果を含む光損失特性正常情報を出力し、前記光線路特性データに前記光線路特性規格を満たさないイベントがあった場合は、前記光線路に障害があり次試験が前記可視光試験であることを示す判定結果を含む光損失特性異常情報を出力する光損失特性判定手段１７ｃａと、
該光損失特性判定手段からの前記光損失特性正常情報又は光損失特性異常情報に基づいて、前記表示部１８の表示内容を切替制御する表示切替制御手段１７ｅと、
備えていることを特徴としている。
【００１５】
また、請求項４に記載された操作画面表示方法は、センタ局から各ユーザ宅までを光線路２０で接続した光通信システムに用いられ、前記ユーザ宅で、前記センタ局から送信される光通信信号を受光し、この受光した光通信信号の光強度を判定する光通信信号強度試験、レーザ光源１１ａから前記光線路への光パルスの入射に伴う前記光線路からの戻り光から前記光線路の光損失分布特性を判定するＯＴＤＲ試験、可視光源１２ａから前記光線路に可視光を出射して前記光線路の障害位置を特定する可視光試験を順に行い、前記各試験に関する内容を表示する表示部１８を備えた光線路異常診断装置１の操作画面表示方法において、
前記光通信信号強度試験の終了後、前記光通信信号強度が正常の範囲内であると判定された場合は、前記センタ局からの光通信信号の光強度を示す光通信信号強度データと、その他の試験を行う必要がないことを示す情報とを含む光強度正常表示情報を前記表示部に表示し、前記光通信信号強度に異常があると判定された場合は、前記光通信信号強度データとともに、次試験が前記ＯＴＤＲ試験であることを示す情報を含む光強度異常表示情報を前記表示部に表示するステップと、
前記ＯＴＤＲ試験の終了後、前記光損失分布特性が正常であると判定された場合は、前記光線路の光損失特性を示す光線路特性データと、前記光線路以外に障害があることを示す情報とを含む光損失特性正常表示情報を前記表示部に表示し、前記光線路に異常があると判定された場合は、前記光線路特性データと、次試験が前記可視光試験であることを示す情報とを含む光損失特性異常表示情報を前記表示部に表示するステップと、
を含むことを特徴としている。
【００１６】
また、請求項５に記載された操作画面表示方法は、請求項４記載の操作画面表示方法において、前記光通信信号強度データと、予め設定された光強度データ用閾値とを比較し、前記光通信信号強度データが前記光強度データ用閾値を超えている場合は、前記光通信信号強度が正常の範囲内でその他の試験を行う必要がないことを示す判定結果を含む光強度正常情報を出力し、  前記光通信信号強度データが前記光強度データ用閾値を超えていない場合は、前記光通信信号強度に異常があり次試験が前記ＯＴＤＲ試験であることを示す判定結果を含む光強度異常情報を出力するステップと、
前記出力された光強度正常情報又は光強度異常情報に基づいて、前記表示部（１８）の表示内容を切替制御するステップと、
を含むことを特徴としている。
【００１７】
また、請求項６に記載された操作画面表示方法は、請求項４又は５記載の操作画面表示方法において、前記光線路特性データと、予め設定された光線路特性規格とを比較し、前記光線路特性データに前記光線路特性規格を満たさないイベントが無かった場合は、前記光線路の前記光損失分布特性は正常であるが前記光線路以外に障害があることを示す判定結果を含む光損失特性正常情報を出力し、前記光線路特性データに前記光線路特性規格を満たさないイベントがあった場合は、前記光線路に障害があり次試験が前記可視光試験であることを示す判定結果を含む光損失特性異常情報を出力するステップと、
前記出力された前記光損失特性正常情報又は光損失特性異常情報に基づいて、前記表示部１８の表示内容を切替制御するステップと、
を含むことを特徴としている。
【発明の効果】
【００１８】
本発明によれば、光通信信号強度試験、ＯＴＤＲ試験、可視光試験を順次行なう際に、各試験の判定結果に基づいて余計な操作画面に移行することなく適切な表示内容を自動的に表示制御するため、画面操作の煩雑さが解消され、光線路異常診断試験の作業を円滑に進めることができる。
【００１９】
また、各試験の判定結果によって次の試験が必要な場合はその試験への誘導指示を画面表示するため、各試験毎に作業者が試験結果を判定し、次に行うべき試験を判断する必要がなく、知識の乏しい作業者でも容易に光線路異常診断試験を行うことができる。
【発明を実施するための最良の形態】
【００２０】
以下、本発明の実施の形態を図面を参照しながら具体的に説明する。図１は本発明に係る光線路異常診断装置の構成を説明するための概略ブロック図であり、図２〜５は本発明に係る光線路異常診断装置の操作表示画面の一例を示す説明図であり、図６は本発明に係る光線路異常診断装置の処理動作を説明するためのフローチャート図であり、図７は本発明に係る光線路異常診断装置の他の形態を説明するための説明図である。
【００２１】
本例の光線路異常診断装置は、センタ局と各ユーザ宅との間で構築されたＰＯＮにおける光分波器とユーザ宅間に敷設された光ファイバからなる光線路の異常診断を行う装置であり、光線路異常診断としてセンタ局から送信された光通信信号が予め設定された規定値以上のレベルでユーザ宅まで届いていることを確認する「光通信信号強度試験」、光線路への光パルスの入射に伴う光線路からの戻り光から光線路の光損失特性を判定する「ＯＴＤＲ試験」、可視光を光線路に入射してその戻り光から損失位置を特定する「可視光試験」の順に各試験を行うことで、光線路における各種異常の診断を行っている。
【００２２】
そして、本例の光線路異常診断装置は、この光線路異常診断における「光通信信号強度試験」から「ＯＴＤＲ試験」へ、「ＯＴＤＲ試験」から「可視光試験」へそれぞれ移行する際に、次試験への誘導指示や各試験の判定結果などの各種表示内容を各試験の判定結果に基づいて自動的に表示制御するものである。
【００２３】
まず、図１を参照しながら、本例の光線路異常診断装置の構成について説明する。光線路異常診断装置１は、タイミング発生部１０と、測定用光源部１１と、可視光源部１２と、光切換器１３と、光カプラ１４と、受光信号処理部１５と、データ処理部１６と、制御部１７と、表示部１８と、操作部１９とを備えて概略構成される。以下、各構成要件について詳細に説明する。
【００２４】
タイミング発生部１０は、制御部１７の制御により、ＯＴＤＲ試験を行うときの測定用光源部１１から出力される光パルスの発生タイミングの決定、可視光試験を行うときの可視光源部１２から出射される可視光の発生タイミングの決定、受光信号処理部１５へ光通信信号強度試験またはＯＴＤＲ試験に係るクロック信号の供給制御などを行っている。
【００２５】
測定用光源部１１は、光源であるレーザ光源（ＬＤ）１１ａと、このＬＤ１１ａを駆動するＬＤ駆動回路１１ｂとで構成される。測定用光源部１１は、ＯＴＤＲ試験の際にタイミング発生部１０で決定された発生タイミングに基づいてＬＤ１１ａを駆動し、所定波長の光からなる光パルスを一定周期で出射している。
【００２６】
可視光源部１２は、光源である可視光源（ＶＬＤ）１２ａと、このＶＬＤ１２ａを駆動するＶＬＤ駆動回路１２ｂで構成される。可視光源部１２は、可視光試験の際にタイミング発生部１０からの発生タイミングに基づいてＶＬＤ１２ａを駆動し、所定波長の可視光を出射している。
【００２７】
光切換器１３は、ユーザ宅内における光線路２０の終端とコネクタ２１を介して接続され、制御部１７の制御によりＯＴＤＲ試験または可視光試験を行う場合に各試験で使用する光源側に設定が切り換えられる構成である。光切換器１３は、光通信信号強度試験の際にセンタ局から出射された光通信信号を本器を介して光カプラ１４に入射している。また、光切換器１３は、ＯＴＤＲ試験の際に測定用光源部１１側に切り換えられ、測定用光源部１１からの光パルスを光線路２０へ出射するとともに、後方散乱光及びフルネル反射光からなる光線路２０からの戻り光を本器を介して光カプラ１４に入射している。さらに、光切換器１３は、可視光試験の際に可視光源側に切り換えられ、可視光源部１２からの可視光を光線路２０に出射している。
【００２８】
光カプラ１４は、光通信信号強度試験の際に光切換器１３から入射した光通信信号を受光信号処理部１５へ分岐している。また、光カプラ１４は、ＯＴＤＲ試験の際に測定用光源部１１から出射された光パルスを光切換器１３へ出射し、後方散乱光及びフルネル反射光からなる光線路２０からの戻り光を受光信号処理部１５へ分岐して入射している。
【００２９】
受光信号処理部１５は、センタ局からの光通信信号や測定用光源部１１から出射された光パルスを受光して電気信号に変換するＡＰＤ（アバランシェ・フォト・ダイオード）からなる受光器１５ａと、この受光器１５ａの受光感度（ゲイン）を調整するバイアス設定回路１５ｂと、受光器１５ａで受光した光通信信号に係る電気信号を増幅する増幅器１５ｃと、増幅器１５ｃで増幅された電気信号をＡ／Ｄ変換するＡ／Ｄ変換器１５ｄとで構成され、光通信信号強度試験やＯＴＤＲ試験の際に受光した信号に基づく各種処理を行っている。
【００３０】
この受光信号処理部１５は、光通信信号強度試験のときに、まずバイアス設定回路１５ｂが制御部１７からの光通信信号強度試験用のクロック信号に基づいて、受光器１５ａのゲインを調整している。そして、センタ局からの光通信信号を光切換器１３、光カプラ１４を介して受光器１５ａで受光している。受光器１５ａは、受光した光通信信号を電気信号に変換し、増幅器１５ｃへ送出している。増幅器１５ｃは、受光器１５ａからの電気信号を増幅してＡ／Ｄ変換器１５ｄへ送出している。そして、Ａ／Ｄ変換器１５ｄは、タイミング発生部１０から供給された光通信信号強度試験に係るクロック信号に伴い、この増幅された電気信号をＡ／Ｄ変換してデータ処理部１６へ出力している。
【００３１】
また、受光信号処理部１５は、ＯＴＤＲ試験のときに、まずバイアス設定回路１５ｂが制御部１７からのＯＴＤＲ試験用のクロック信号に基づいて、受光器１５ａのゲインを調整している。そして、測定用光源部１１から出射された光パルスの後方散乱光及びフレネル反射光からなる光線路２０からの戻り光を光切換器１３、光カプラ１４を介して受光器１５ａで受光している。受光器１５ａは、受光した戻り光を電気信号に変換し、増幅器１５ｃへ送出している。増幅器１５ｃは受光器１５ａからの電気信号を増幅してＡ／Ｄ変換器１５ｄへ送出している。そして、Ａ／Ｄ変換器１５ｄは、タイミング発生部１０から供給されたＯＴＤＲ試験に係るクロック信号に伴い、この増幅された電気信号をＡ／Ｄ変換してデータ処理部１６へ出力している。
【００３２】
データ処理部１６は、光通信信号強度試験においてセンタ局からの光通信信号の強度を算出する光通信信号強度算出部１６ａと、ＯＴＤＲ試験において光線路特性を算出する光線路特性算出部１６ｂとを備えて構成される。
【００３３】
光通信信号強度算出部１６ａは、光通信信号強度試験の際にＡ／Ｄ変換器１５ｄから入力したデジタルの電気信号の信号レベルを用いてセンタ局から入射した光通信信号の光強度を算出し、この算出した光強度を光通信信号強度データとして制御部１７に出力している。
【００３４】
光線路特性算出部１６ｂは、ＯＴＤＲ試験の際にＡ／Ｄ変換器１５ｄから入力されたデジタルの電気信号の時系列的な信号レベルを用いて光線路２０の光線路特性データを算出し、この算出した光線路特性データを制御部１７に出力している。なお、この光線路特性データは、光線路２０からの戻り光の光強度の時間変化、すなわちユーザ宅における光線路２０の終端からの距離変化の特性を示す。
【００３５】
制御部１７は、記憶手段１７ａと、光強度試験制御手段１７ｂと、ＯＴＤＲ試験制御手段１７ｃと、可視光試験制御手段１７ｄと、表示切替制御手段１７ｅとを備えて構成され、光線路異常診断装置１の駆動に関する各種制御や処理を行っている。
【００３６】
記憶手段１７ａは、例えば書き換え可能なＲＯＭやＲＡＭなどの半導体メモリやＨＤＤなどで構成される。記憶手段１７ａは、操作部１９からの入力情報により設定された光通信信号強度試験の際に光通信信号強度算出部１６ａで算出した光通信信号強度データと比較するための光強度データ用閾値やＯＴＤＲ試験の際に算出した光線路特性データと比較するための光線路２０特有のイベント（ファイバコネクタ接続点や切断発生点、末端点のように反射を伴う減衰かファイバ融着接続点のように反射を伴わない減衰など）を特定するための光線路特性規格を記憶する他、光線路異常診断装置１を駆動するのに必要な各種情報やプログラムなどが記憶されている。
【００３７】
光強度試験制御手段１７ｂは、操作部１９からの入力情報（装置の起動）に基づく光通信信号強度試験の開始に基づく測定用光源部１１、可視光源部１２の停止制御やバイアス設定回路１５ｂの駆動制御など、光通信信号強度試験の開始に伴って駆動する各部の制御をしている。また、光強度試験制御手段１７ｂは、光通信信号強度算出部１６ａから出力された光通信信号強度データの光強度を判定する光強度判定手段１７ｂａを備えている。
【００３８】
光強度判定手段１７ｂａは、光通信信号強度算出部１６ａから出力された光通信信号強度データの光強度を判定するため、この光通信信号強度データと予め設定記憶された光強度データ用閾値とを比較している。そして、比較した結果、光通信信号強度データが光強度データ用閾値を超えている場合は、光通信信号強度が正常の範囲内でその他の試験を行う必要がないと判定し、算出した光通信信号強度やその他の試験を行う必要がないことを示す判定結果などを光強度正常情報として表示切替制御手段１７ｅに出力している。
また、光通信信号強度データが光強度データ用閾値を超えていない場合は、光通信信号強度に異常があり次にＯＴＤＲ試験を行う必要があると判定し、算出した光通信信号強度や次試験であるＯＴＤＲ試験への誘導指示を含む判定結果などを光強度異常情報として表示切替制御手段１７ｅに出力している。
【００３９】
ＯＴＤＲ試験制御手段１７ｃは、操作部１９からの入力情報（ＯＴＤＲ試験の選択）に基づくＯＴＤＲ試験の開始に基づくタイミング発生部１０、光切換器１３、バイアス設定回路１５ｂの駆動制御や可視光源部１２の停止制御など、ＯＴＤＲ試験の開始に伴って駆動する各部の制御をしている。また、ＯＴＤＲ試験制御手段１７ｃは、光線路特性算出部１６ｂから出力された光線路特性データの光損失分布特性を判定する光損失特性判定手段１７ｃａを備えている。
【００４０】
光損失特性判定手段１７ｃａは、光線路特性算出部１６ｂから出力された光線路特性データと、予め設定記憶された光線路特性規格とを比較している。そして、比較した結果、算出された光線路特性データに光線路特性規格を満たさないイベントが無かった場合は、光線路２０の光損失分布特性は正常であるが光線路２０以外に障害があると判定し、算出した光線路特性データや光線路２０以外に障害があることを示す判定結果などを光損失特性正常情報として表示切替制御手段１７ｅに出力している。
また、算出された光線路特性データに光線路特性規格を満たさないイベントがあった場合は、光線路２０に障害があり次に可視光試験を行う必要があると判定し、算出した光線路特性データや次試験である可視光試験への誘導指示を含む判定結果などを光損失特性異常情報として表示切替制御手段１７ｅに出力している。
【００４１】
可視光試験制御手段１７ｄは、操作部１９からの入力情報（可視光試験の選択）に基づくタイミング発生部１０や光切換器１３の駆動制御、測定用光源部１１の停止制御など、可視光試験の開始に伴って駆動する各部の制御をしている。
【００４２】
表示切替制御手段１７ｅは、操作部１９からの入力情報や光強度判定手段１７ｂａまたは光損失特性判定手段１７ｃａからの各種情報に基づいて表示部１８の表示内容の表示制御や切替制御をしている。
【００４３】
具体的に説明すると、表示切替制御手段１７ｅは、光強度判定手段１７ｂａから光強度正常情報が入力されると、表示部１８に表示された現在の表示内容を光強度正常情報に基づく光通信信号強度データや判定結果の表示に切り替えるため、これらの情報を光強度正常表示情報として表示部１８に出力している。
また、表示切替制御手段１７ｅは、光強度判定手段１７ｂａから光強度異常情報が入力されると、表示部１８に表示された現在の表示内容を光強度異常情報に基づく光通信信号強度データや判定結果、次試験であるＯＴＤＲ試験への誘導表示などを含む表示内容に切り替えるため、これらの情報を光強度異常表示情報として表示部１８に出力している。
【００４４】
さらに、表示切替制御手段１７ｅは、光損失特性判定手段１７ｃａから光損失特性正常情報が入力されると、表示部１８に表示された現在の表示内容を光損失特性正常情報に基づく光線路特性データや判定結果の表示に切り替えるため、これらの情報を光損失特性正常表示情報として表示部１８に出力している。
また、表示切替制御手段１７ｅは、光損失特性判定手段１７ｃａから光損失特性異常情報が入力されると、表示部１８に表示された現在の表示内容を光損失特性異常情報に基づく光線路特性データや判定結果、次試験である可視光試験への誘導表示などを含む表示内容に切り替えるため、これらの情報を光損失特性異常表示情報として表示部１８に出力している。
【００４５】
表示部１８は、例えば液晶ディスプレイなどの表示装置で構成され、表示切替制御手段１７ｅからの表示情報に基づく表示内容の表示出力をしている。
【００４６】
具体的な表示例としては、表示部１８は、表示切替制御手段１７ｅから光強度正常表示情報が入力されると、図２に示すように、光強度正常表示情報である光強度通信信号試験において算出された光通信信号強度データや試験の判定結果を含む表示内容を表示出力している。
また、表示部１８は、表示切替制御手段１７ｅから光強度異常表示情報が入力されると、図３に示すように、光強度異常表示情報である光通信信号強度データや試験の判定結果、次試験であるＯＴＤＲ試験への誘導指示を含む表示内容を表示出力している。
【００４７】
さらに、表示部１８は、表示切替制御手段１７ｅから光損失特性正常表示情報が入力されると、図４に示すように、光損失特性正常表示情報であるＯＴＤＲ試験において算出された光線路特性データや試験の判定結果を含む表示内容を表示出力している。
また、表示部１８は、表示切替制御手段１７ｅから光損失特性異常表示情報が入力されると、図５に示すように、光損失特性異常表示情報である光線路特性データや試験の判定結果、次試験である可視光試験への誘導指示を含む表示内容を表示出力している。
【００４８】
操作部１９は、例えば十字キーやファンクションキーなどを含む各種操作ボタンで構成される。操作部１９は、装置の起動または停止、表示部１８の表示内容に基づく各試験のや試験毎の項目の選択、光強度データ用閾値や光線路特性規格の設定入力の他、光線路異常診断装置１を使用する際に所定操作され、各種操作に基づく入力情報を制御部１７に出力している。
【００４９】
次に、図６を参照しながら、上述した光線路異常診断装置１の処理動作について説明している。
【００５０】
作業者は、まず光線路異常診断を行うユーザ宅に出向き、ユーザ宅の光線路２０と光線路異常診断装置１とを接続して装置を起動する。そして、装置を起動して光通信信号強度試験を開始する（ＳＴ１）、光線路異常診断装置１は、センタ局からの光通信信号を入射し、この光通信信号の光通信信号強度を算出し、この算出した光通信信号強度データと予め設定された光強度データ用閾値とを比較する（ＳＴ２）。
【００５１】
比較した結果、光通信信号強度データが光強度データ用閾値を超えていない場合は（ＳＴ２−Ｙｅｓ）、光通信信号強度に異常があり次にＯＴＤＲ試験を行う必要があると判定し、図２に示すように、光強度異常表示情報である光通信信号強度データや試験の判定結果、次試験であるＯＴＤＲ試験への誘導指示を含む表示内容を表示する（ＳＴ３）。
一方、光通信信号強度データが光強度データ用閾値を超えている場合は（ＳＴ２−Ｎｏ）、光通信信号強度が正常の範囲内でありその他の試験を行う必要がないと判定し、図３に示すように、光強度正常情報である算出した光通信信号強度データや正常であることを示す判定結果を表示して（ＳＴ４）、処理を終了する。
【００５２】
作業者は、ＳＴ３において表示された表示内容から、光通信信号強度試験に異常があり次にＯＴＤＲ試験に移行する必要があることを確認し、操作部１９を所定操作してＯＴＤＲ試験を開始する（ＳＴ５）。そして、測定用光源部１１から光線路２０への光パルスの入射に伴う光線路２０からの戻り光から光線路特性データを算出し、この算出した光線路特性データと予め設定された光線路特性規格とを比較する（ＳＴ６）。
【００５３】
比較した結果、算出された光線路特性データに光線路特性規格を満たさないイベントがあった場合は、光線路２０に障害があり次に可視光試験を行う必要があると判定し、光損失特性異常表示情報である光線路特性データや試験の判定結果、次試験である可視光試験への誘導指示を含む表示内容を表示する（ＳＴ７）。
一方、算出された光線路特性データに光線路特性規格を満たさないイベントが無かった場合は（ＳＴ６−Ｎｏ）、光線路２０の光線路特性は正常であるが光線路２０以外に障害があると判定し、光損失特性正常情報である算出した光線路特性データや光線路以外に障害があることを示す判定結果を表示して（ＳＴ８）、処理を終了する。
【００５４】
作業者は、ＳＴ７において表示された表示内容から、ＯＴＤＲ試験に異常があり次に可視光試験に移行する必要があることを確認し、操作部１９を所定操作して可視光試験を開始する（ＳＴ９）。そして、作業者は、可視光試験によって正確な光線路２０の障害位置を目視で探索し（ＳＴ１０）、異常箇所（異常発生範囲）のメンテナンスを行う。
【００５５】
このように、上述した光線路異常診断装置１では、作業者がセンタ局から光分波器を介して敷設される光線路２０に接続した状態で装置を起動すると、センタ局からの光通信信号から光通信信号強度データを算出し、この算出した光通信信号強度データと予め設定記憶された光強度データ用閾値とを比較して光通信信号強度を判定する。
【００５６】
このとき、光通信信号強度データが光強度データ用閾値を超えている場合は、光通信信号強度が正常の範囲内でその他の試験を行う必要がないと判定し、算出した光通信信号強度や判定結果に基づく光強度正常情報を表示部１８に表示する。一方、光通信信号強度データが光強度データ用閾値を超えていない場合は、光通信信号強度に異常があり次にＯＴＤＲ試験を行う必要があると判定し、光通信信号強度データや試験の判定結果、次試験であるＯＴＤＲ試験への誘導指示を含む表示内容を表示部１８に表示する。
【００５７】
従って、装置を起動するだけで光通信信号強度試験が開始されセンタ局からの光通信信号の強度判定を行い、判定結果に基づいて次試験であるＯＴＤＲ試験の必要の有無や判定結果を自動的に表示制御するため、従来のような画面操作の煩雑さが解消され、知識の乏しい作業者でも容易に光線路異常診断試験を行うことができる。
【００５８】
また、作業者が算出された光通信信号強度データが光強度データ用閾値を超えていない場合に表示される誘導表示に従って操作部を所定操作すると、測定用光源部１１から光線路２０への光パルスの入射に伴う光線路２０からの戻り光から光線路特性データを算出し、この算出した光線路特性データと予め設定された光線路特性規格とを比較する。
【００５９】
このとき、算出された光線路特性データに光線路特性規格を満たさないイベントがあった場合は、光線路２０に障害があり次に可視光試験を行う必要があると判定し、光損失特性異常表示情報である光線路特性データや試験の判定結果、次試験である可視光試験への誘導指示を含む表示内容を表示部１８に表示する。一方、算出された光線路特性データに光線路特性規格を満たさないイベントが無かった場合は、光線路２０の光損失分布特性は正常であるが光線路２０以外に障害があると判定し、算出した光線路特性データや判定結果に基づく光損失特性正常情報を表示部１８に表示する。
【００６０】
従って、ＯＴＤＲ試験を開始するだけで、戻り光の光線路特性データの光損失分布特性を判定し、判定結果に基づいて次試験である可視光試験の必要の有無や判定結果を自動的に表示制御するため、従来のような画面操作の煩雑さが解消され、知識の乏しい作業者でも容易に光線路異常診断試験を行うことができる。
【００６１】
さらに、作業者が算出された光線路特性データに光線路特性規格を満たさないイベントがあった場合に表示される誘導指示に従って操作部を所定操作するだけで、光線路２０に対して可視光源部１２から可視光が出射されるため、従来のような画面操作の煩雑さが解消され、知識の乏しい作業者でも容易に光線路異常診断試験を行うことができる。
【００６２】
ところで、上述した形態では、光切換器１３を用いて光線路特性試験のときには測定用光源部１１側に、可視光試験のときには可視光源部１２側にそれぞれ切り換える構成としたがこれに限定されることはなく、図７に示すように光切換器１３を省き、光通信信号強度試験及びＯＴＤＲ試験を行う際にセンタ局からの光通信信号を入射したり光パルスを入出射する入出射口２２と、可視光試験の際に可視光を出射する出射口２３にそれぞれ光線路２０を接続する構成としてもよい。
【００６３】
また、上述した形態では、装置の起動に伴って光異常診断試験の最初の試験である光通信信号強度試験を開始する構成で説明したがこれに限定されることはなく、例えば電源投入後に操作部を所定操作（ＳＴＡＲＴボタンの押下など）して光通信信号強度試験を開始する構成でもよい。
【００６４】
以上、本願発明における最良の形態について説明したが、この形態による記述及び図面により本発明が限定されることはない。すなわち、この形態に基づいて当業者等によりなされる他の形態、実施例及び運用技術等はすべて本発明の範疇に含まれることは勿論である。
【図面の簡単な説明】
【００６５】
【図１】本発明に係る光線路異常診断装置の構成を説明するための概略ブロック図である。
【図２】本発明に係る光線路異常診断装置の操作表示画面の一例を示す説明図である。
【図３】本発明に係る光線路異常診断装置の操作表示画面の一例を示す説明図である。
【図４】本発明に係る光線路異常診断装置の操作表示画面の一例を示す説明図である。
【図５】本発明に係る光線路異常診断装置の操作表示画面の一例を示す説明図である。
【図６】本発明に係る光線路異常診断装置の処理動作を説明するためのフローチャート図である。
【図７】本発明に係る光線路異常診断装置の他の形態を説明するための説明図である。
【符号の説明】
【００６６】
１  光線路異常診断装置
１０  タイミング発生部
１１  測定用光源部
１１ａ  レーザ光源
１１ｂ  ＬＤ駆動回路
１２  可視光源部
１２ａ  可視光源（ＶＬＤ）
１２ｂ  ＶＬＤ駆動回路
１３  光切換器
１４  光カプラ
１５  受光信号処理部
１５ａ  受光器（ＡＰＤ）１５ａ
１５ｂ  バイアス設定回路
１５ｃ  増幅器
１５ｄ  Ａ／Ｄ変換器
１６  データ処理部
１６ａ  光通信信号強度算出部
１６ｂ  光線路特性算出部
１７  制御部
１７ａ  記憶手段
１７ｂ  光強度試験制御手段
１７ｂａ  光強度判定手段
１７ｃ  ＯＴＤＲ試験制御手段
１７ｃａ  光損失特性判定手段
１７ｄ  可視光試験制御手段
１７ｅ  表示切替制御手段
１８  表示部
１９  操作部
２０  光線路
２１  コネクタ
２２  入出射口
２３  出射口
【図１】
0005179122.tif 000002
【図２】
0005179122.tif 000003
【図３】
0005179122.tif 000004
【図４】
0005179122.tif 000005
【図５】
0005179122.tif 000006
【図６】
0005179122.tif 000007
【図７】
0005179122.tif 000008